(57)【要約】【課題】簡易な構成にもかかわらず、ＯＡ機器の電源スイッチのオン・オフ状態を一目瞭然となし得、そのオン・オフの徹底化に寄与する状態表示方法および状態表示具を提供する。【解決手段】回動機構２０により回動自在に支持された表示板１０をデスクトップパソコンのモニターＭに傾斜自在に設け、表示板１０の傾きにより電源スイッチのオン・オフを表示するものである。例えば、電源スイッチがオンのときに表示板１０を起立させる。【選択図】図１
2009300954.tif 000002
【特許請求の範囲】
【請求項１】
パソコンなどのＯＡ機器に傾斜自在に表示板を設け、該表示板の傾きにより電源スイッチのオン・オフを表示することを特徴とする状態表示方法。
【請求項２】
デスクトップパソコンのモニターに表示板を設け、電源スイッチがオンのときに該表示板を起立させることを特徴とする請求項１記載の状態表示方法。
【請求項３】
表示板の先端部をデスクトップパソコンのモニターの側面から突出するようにして前記モニターの上部に設けることを特徴とする請求項２記載の状態表示方法。
【請求項４】
電源スイッチがオンのときノートパソコンの表示画面から表示板の先端を突出させることを特徴とする請求項１記載の状態表示方法。
【請求項５】
電源スイッチのオン・オフを表示する状態表示具であって、
表示板と、該表示板を回動自在に支持する回動支持機構とを備えてなることを特徴とする状態表示具。
【請求項６】
表示板がプラ段からなることを特徴とする請求項５記載の状態表示具。
【請求項７】
回動支持機構が、プラ段の隔壁間に差し込まれる門型状とされた支持部材を有することを特徴とする請求項６記載の状態表示具。
【発明の詳細な説明】
【技術分野】
【０００１】
本発明は状態表示方法および状態表示具に関する。さらに詳しくは、パソコンやコピー機などのＯＡ機器の電源スイッチのオン・オフ状態を表示する状態表示方法および状態表示具に関する。
【背景技術】
【０００２】
従来より、オフィスにおいては、ノートパソコン、デスクトップパソコン、コピー機などＯＡ機器が多数使用されている。
【０００３】
これらＯＡ機器おける消費電力は、単体では小さいものの、その使用されている台数が多数に上ることから、それらの消費電力のオフィス全体における消費電力に占める割合は無視できないものとなっている。
【０００４】
そのため、ＯＡ機器の消費電力を削減できれば、オフィスにおける電気代を低減できランニングコストを削減することができる。また、都市には多数のオフィスが存在するところから、各オフィスにおいてそれぞれのＯＡ機器の消費電力が削減されれば、その都市における消費電力の大幅な低減が実現される。
【０００５】
また、都市で消費される電力は、その大部分が火力発電所においてまかなわれているところから、都市で消費される電力の大幅な低減が実現されれば、地球の温暖化の一因といわれている二酸化炭素の排出の低減にもつながる。
【０００６】
このＯＡ機器の消費電力を削減の一案として、ＯＡ機器の電源スイッチのオン・オフをこまめに行うことが推奨されている。この電源スイッチのオン・オフは、現状ではパソコンなどの使用者にまかされているのが実情である。
【０００７】
しかしながら、この電源スイッチのオン・オフをパソコンなどのＯＡ機器の使用者にまかせていては、その徹底を図ることは到底できない。
【発明の開示】
【発明が解決しようとする課題】
【０００８】
本発明はかかる従来技術の課題に鑑みなされたものであって、簡易な構成にもかかわらず、ＯＡ機器の電源スイッチのオン・オフ状態を一目瞭然となし得、そのオン・オフの徹底化に寄与する状態表示方法および状態表示具を提供することを目的としている。
【課題を解決するための手段】
【０００９】
本発明の状態表示方法は、パソコンなどのＯＡ機器に傾斜自在に表示板を設け、該表示板の傾きにより電源スイッチのオン・オフを表示することを特徴とする。
【００１０】
本発明の状態表示方法は、具体的には、例えば、デスクトップパソコンのモニターに表示板を設け、電源スイッチがオンのときに該表示板を起立させるものとされる。その場合、  表示板の先端部をデスクトップパソコンのモニターの側面から突出するようにして前記モニターの上部に設けるのが好ましい。
【００１１】
あるいは、電源スイッチがオンのときノートパソコンの表示画面から表示板の先端を突出させるものとされる。
【００１２】
本発明の状態表示具は、電源スイッチのオン・オフを表示する状態表示具であって、  表示板と、該表示板を回動自在に支持する回動支持機構とを備えてなることを特徴とする。
【００１３】
本発明の状態表示具においては、表示板は、例えば、がプラ段からなるのが好ましい。その場合、回動支持機構が、プラ段の隔壁間に差し込まれる門型状とされた支持部材を有するのが好ましい。
【発明の効果】
【００１４】
本発明によれば、表示板の傾斜によりパソコンなどのＯＡ機器の電源スイッチのオン・オフが容易に把握されるという優れた効果が得られる。
【発明を実施するための最良の形態】
【００１５】
以下、添付図面を参照しながら本発明を実施形態に基づいて説明するが、本発明はかかる実施形態のみに限定されるものではない。
【００１６】
本発明の一実施形態に係る状態表示方法に用いられる状態表示具Ｊを図１に示す。
【００１７】
状態表示具Ｊは、図１に示すように、表示板１０と、表示板１０を起立した状態と倒した状態とに切換え可能に支持する回動支持機構２０とを備えてなるものとされ、回動支持機構２０がノートパソコンの表面やデスクトップパソコンのモニター上部などに固着されてその電源スイッチのオン・オフ状態を表示するものとされる。
【００１８】
表示板１０は、例えば長さが１５ｃｍ程度で幅が２ｃｍ程度の長方形状とされる。その色は、注意を喚起する必要があるところから、例えば黄色とされる。また、その素材は、例えば図２に示すようなプラ段（プラスチックを段ボール状に形成したもの）とされる。なお、所定の強度を確保するため、プラ段の筋方向が長手方向とされる。
【００１９】
回転支持機構２０は、針金を折り曲げ成形してなる支持部材２１と、支持部材２１を回動自在に保持する保持部材３０とを備えてなるものとされる。針金の径は３ｍｍ程度とされる。なお、支持部材２１は針金に限定されるものではなく、合成樹脂の成形品とされてもよい。
【００２０】
支持部材２１は、図３に示すように、先細の門型状とされている。先細とするのは、表示板１０を構成しているプラ段の隔壁を挟み込んで抜け落ちが生じないようにするためである。ただし、先端部は、プラ段への差し込みが容易なように外方に折り返されている。
【００２１】
保持部材３０は合成樹脂を鉤状に成形してなるものであって、図４に示すように、水平状の基部３１と、基部３１の一端から起立形成された鉤部３２とを有するものとされる。
【００２２】
基部３１の表面（鉤部３２に対向する面）には、所要数（図示例では３）の半円弧状小突起３３が所定間隔で設けられて支持部材２１のずれ防止が図られている。また、基部３１の裏面には、保持部材３０をノートパソコンの表面やデスクトップパソコンのモニター上部などのＯＡ機器に固着する両面テープ３４が貼付されている。基部３１のサイズは、長さが例えば１０ｍｍとされ、幅が例えば１２ｍｍとされる。
【００２３】
鉤部３２の起立状の内面３５は円弧に形成され、支持部材２１の円滑な回動が担保されている。また、鉤部３２の先端内面は概略Ｖ字状の突部３６に形成されて支持部材２１の脱落防止が図られている。鉤部３２のサイズは、長さが例えば７ｍｍとされ、幅が例えば８ｍｍとされる。
【００２４】
鉤部３２がかかる構成とされていることより、保持部材３０の先端部内側が案内面となり支持部材２１、より具体的には水平部２１ａの保持部材３０へのスムーズな装着がなし得る。
【００２５】
次に、かかる構成とされた状態表示具Ｊの使用方法について説明する。
【００２６】
まず、状態表示具ＪをＯＡ機器の所定位置にセットする。例えば、デスクトップパソコンのモニターＭの上部に状態表示具Ｊをセットする。この場合、図５に示すように、表示板１０の先端部１０ａがモニターＭの側面に突出するようにセットするのが、表示板１０の起立を楽にできるので好ましい。
【００２７】
また、ノートパソコンＮの場合は、閉じた状態で一側端に端部に沿わせてセットする。この場合、図６に示すように、ノートパソコンＮを開いた状態で、表示板１０の先端部１０ａがノートパソコンＮの表示画面Ｎｖの上部から突出するようにしてセットするのが好ましい。これはノートパソコンＮを開いた状態でも電源スイッチのオン・オフが判別できるからである。
【００２８】
この状態表示具Ｊによる電源スイッチのオン・オフ表示は、基本的には、電源がオフのときに表示板１０を起立させるものとする。これにより、電源スイッチのオフが一目瞭然となる。ただし、ノートパソコンＮの場合、前述したように、表示画面Ｎｖの上部から表示板１０の先端部１０ａが突出するように倒すものとする。
【００２９】
このように、本実施形態によれば、ＯＡ機器の電源スイッチのオン・オフが一目瞭然となるので、使用者の電源スイッチへの意識がたかまり、電源スイッチのこまめなオン・オフが促進される。また、使用者が電源スイッチを切り忘れて離席しても、管理者に容易にその電源スイッチのオン・オフが把握でされるので、適切な処置が迅速になされる。その結果、消費電力が削減される。それにより、火力発電によりまかなう必要がある電力量が低減されて二酸化炭素の排出が減少し、地球の温暖化防止の一助となる。
【００３０】
以上、本発明を実施形態に基づいて説明してきたが、本発明はかかる実施形態のみに限定されるものではなく、種々改変が可能である。
【００３１】
例えば、本実施形態では、状態表示Ｊを両面テープ３４によりＯＡ機器に固着させたが、マジックテープ（登録商標）などの着脱自在なテープにより着脱自在とされてもよい。
【００３２】
また、本実施形態では、表示板１０の素材を段プラとしたが、単にプラスチック板とされてもよい。
【００３３】
さらに、支持部材２１の形状も適宜とできる。例えば、表示板１０の下端が差し込まれるような構成とされてもよい。
【産業上の利用可能性】
【００３４】
本発明は、ＯＡ機器の管理に適用できる。
【図面の簡単な説明】
【００３５】
【図１】本発明の一実施形態に係る状態表示具の概略図である。
【図２】同状態表示具の表示板の端面図である。
【図３】同状態表示具の支持部材の概略図である。
【図４】同状態表示具の保持部材の二面図である。
【図５】同状態表具の使用態様の一例を示す概略図である。
【図６】同状態表具の使用態様の他の例を示す概略図である。
【符号の説明】
【００３６】
１０      表示板
１０ａ    先端部
２０      回転支持機構
２１      支持部材
２１ａ    水平部
３０      保持部材
３１      基部
３２      鉤部
Ｊ      状態表示具
Ｍ      モニター
Ｎ      ノートパソコン
【図１】
2009300954.tif 000003
【図２】
2009300954.tif 000004
【図３】
2009300954.tif 000005
【図４】
2009300954.tif 000006
【図５】
2009300954.tif 000007
【図６】
2009300954.tif 000008